(57)【特許請求の範囲】
【請求項１】
ＩＰ網を介して通話を行うＩＰ網に接続されたユーザ端末へ時報ガイダンスを提供するための時報ガイダンス提供システムであって、
時報ガイダンスの基準となる時刻情報を発生するために標準時刻提供手段に同期して時刻情報を取得する時刻同期手段と、
ユーザ端末からのＩＰ網を経由した呼設定手順を使用した時報ガイダンス提供の要求に応じて、前記時刻同期手段からＩＰ網を経由した時刻同期手順に準ずる時刻同期手順により取得した時刻情報に基づいて音声による時報ガイダンスを作成する時報ガイダンス作成手段と、
作成された時報ガイダンスを時報ガイダンス提供の要求をしたユーザ端末へ提供する時報ガイダンス提供手段と、
を備えることを特徴とする時報ガイダンス提供システム。
【請求項２】
前記時刻同期手段は、
ＩＰ網を経由した時刻同期手順を使用し、標準時刻提供手段と接続して同期することを特徴とする請求項１に記載の時報ガイダンス提供システム。
【請求項３】
前記時刻同期手段は、
ＧＰＳを使用し標準時刻提供手段と接続して同期することを特徴とする請求項１に記載の時報ガイダンス提供システム。
【請求項４】
前記時刻同期手段は、
電話回線による時刻供給システムを使用し標準時刻提供手段と接続して同期することを特徴とする請求項１に記載の時報ガイダンス提供システム。
【請求項５】
前記時報ガイダンス作成手段は、
あらかじめ記憶された音声断片を記憶した音声断片記憶手段と、
時刻情報に応じて音声断片を組合わせて時報ガイダンスを作成する音声合成手段と、
を備えることを特徴とする請求項１〜４のいずれかに記載の時報ガイダンス提供システム。
【請求項６】
前記時報ガイダンス提供手段は、
複数の前記ユーザ端末から同時刻に時報ガイダンスが要求された場合、
同一の時報ガイダンスをＩＰ網を使用した音声送受信手順による音声データにより前記複数のユーザ端末に提供することを特徴とする請求項１〜５のいずれかに記載の時報ガイダンス提供システム。
【請求項７】
前記時刻同期手段は、
閏秒を時刻調整するための閏秒調整手段と、
サマータイムを時刻調整するためのサマータイム調整手段と、
のうちのいずれか一方または両方を備えることを特徴とする請求項１〜６のいずれかに記載の時報ガイダンス提供システム。
【発明の詳細な説明】
【技術分野】
【０００１】
本発明は、ＩＰ網においてユーザ端末へ時報ガイダンスを提供するための時報ガイダンス提供システムに関連する。
【背景技術】
【０００２】
従来において、時報ガイダンス提供システムはＩＰ網の外側にあり、テレホンＪＪＹ（登録商標）から加入電話回線を経由して標準時刻データを取得し、この標準時刻データに基づいて時報ガイダンスに必要な音声断片を組み合わせて時報ガイダンスを生成している。生成した時報ガイダンスは時報ガイダンス提供サービスを利用するＩＰ電話のユーザに対して加入電話網およびＩＰ網を介して提供されている（特許文献１参照）。
【０００３】
こうした時報ガイダンスサービスを提供するためには、その実現のための構成として従来のアナログ回線等による加入電話回線網における時報ガイダンス装置と、この加入電話回線網とＩＰ網とを接続して時報ガイダンスの受渡しをするためのＧＷ（Gate Way）装置を配置している。
【特許文献１】特開２００２−３３５３３５号
【発明の開示】
【発明が解決しようとする課題】
【０００４】
上述した従来の時報ガイダンス提供の構成では、ＩＰ網内において配置された時報ガイダンスのためのサーバが存在しないため、従来の加入電話網からの時報ガイダンスサービスを利用する必要があり、ＩＰ網と加入電話回線網との間を繋ぐＧＷ装置を設けなければならなかった。
【０００５】
本発明はこのような問題に鑑みてなされたもので、その目的とするところは、ＧＷ装置を用いずにＩＰ網内においてユーザ端末へ時報ガイダンスを提供することにある。
【課題を解決するための手段】
【０００６】
上記目的を達成するため、請求項１記載の本発明は、ＩＰ網を介して通話を行うＩＰ網に接続されたユーザ端末へ時報ガイダンスを提供するための時報ガイダンス提供システムであって、時報ガイダンスの基準となる時刻情報を発生するために標準時刻提供手段に同期して時刻情報を取得する時刻同期手段と、ユーザ端末からのＩＰ網を経由した呼設定手順を使用した時報ガイダンス提供の要求に応じて、前記時刻同期手段からＩＰ網を経由した時刻同期手順に準ずる時刻同期手順により取得した時刻情報に基づいて音声による時報ガイダンスを作成する時報ガイダンス作成手段と、作成された時報ガイダンスを時報ガイダンス提供の要求をしたユーザ端末へ提供する時報ガイダンス提供手段と、を備える。
【０００７】
また、請求項２に記載の本発明は、請求項１において、前記時刻同期手段は、ＩＰ網を経由した時刻同期手順を使用し、標準時刻提供手段と接続して同期する。
【０００８】
また、請求項３に記載の本発明は、請求項１において、前記時刻同期手段は、ＧＰＳを使用し標準時刻提供手段と接続して同期する。
【０００９】
また、請求項４に記載の本発明は、請求項１において、前記時刻同期手段は、電話回線による時刻供給システムを使用し標準時刻提供手段と接続して同期する。
【００１０】
また、請求項５に記載の本発明は、請求項１〜４のいずれかにおいて、前記時報ガイダンス作成手段は、あらかじめ記憶された音声断片を記憶した音声断片記憶手段と、時刻情報に応じて音声断片を組合わせて時報ガイダンスを作成する音声合成手段と、を備える。
【００１３】
また、請求項６に記載の本発明は、請求項１〜５のいずれかにおいて、前記時報ガイダンス提供手段は、複数の前記ユーザ端末から同時刻に時報ガイダンスが要求された場合、同一の時報ガイダンスをＩＰ網を使用した音声送受信手順による音声データによりユーザ端末に提供する。
【００１４】
また、請求項７に記載の本発明は、請求項１〜６のいずれかにおいて、前記時刻同期手段は、閏秒を時刻調整するための閏秒調整手段と、サマータイムを時刻調整するためのサマータイム調整手段と、のうちのいずれか一方または両方を備える。
【発明の効果】
【００１５】
本発明の効果は、ＧＷ装置を用いずにＩＰ網内においてユーザ端末へ時報ガイダンスを提供することができる。
【００１６】
また、本発明の別の効果は、既存のＬＡＮなどのネットワーク環境に対する親和性を高めることができる。
【００１７】
また、本発明の別の効果は、時報ガイダンスの提供にかかる設備コストを低減することができる。
【００１８】
また、本発明の別の効果は、ＩＰ網のユーザへの時報ガイダンスサービスの提供拡大に伴い収益を増やすことが期待できる。
【発明を実施するための最良の形態】
【００１９】
図１に、時報ガイダンス提供システムの実施の形態の全体構成図を示す。この図１に示す構成図には、時報ガイダンス生成システム１と、ＮＴＰ（Network Time Protocol）サーバ２と、ＬＡＮ（Local Area Network）３と、ＴＳＳ（時報音源供給装置）４と、ＩＰ（Internet Protocol）網５と、公的最上位ＮＴＰ（Network Time Protocol）サーバ６と、一台あるいは複数台のユーザ端末７と、ＧＰＳ（Global Positioning System）８と、電話網９と、テレホンＪＪＹ（登録商標）（電話回線による時刻供給システム）１０と、が示されている。
【００２０】
ここで、公的最上位ＮＴＰサーバ６は標準時刻提供手段の具体例であり標準時刻情報を提供している。また、ＮＴＰサーバ２と、ＧＰＳ８と、テレホンＪＪＹ（登録商標）１０と、は標準時刻提供手段と同期して標準時刻情報を取得し、ＩＰ網５を介してユーザ端末７へ時報ガイダンスを提供するための時刻同期手段の具体例である。さらに、ＴＳＳ４は時報ガイダンス作成手段と時報ガイダンス提供手段による構成の具体例である。
【００２１】
図１に示す構成は、標準時刻提供手段およびＬＡＮを使用してＩＰ網における時報ガイダンス生成システムを構成し、時刻同期手段が標準時刻提供手段との接続にＮＴＰプロトコルを使用し、時報ガイダンス音源供給手段（ＴＳＳ）が時刻同期手段へのアクセスにＮＴＰプロトコルを使用し、またＴＳＳがユーザ端末の接続制御にＳＩＰ（Session Initiation Protocol）プロトコルなどのＩＰ網を経由した呼設定手順を使用し、ＲＴＰ（Real-time Transport Protocol）パケットなどのＩＰ網を使用した音声送受信手順を用いた音声データによりユーザ端末に時報ガイダンスサービスを提供する場合を示している。
【００２２】
このような構成において、ＮＴＰサーバ２は、ＬＡＮ３およびＩＰ網５を介して、ＮＴＰプロトコルを使用して公的最上位ＮＴＰサーバ６と接続し、時刻情報を定期的に取得して、公的最上位ＮＴＰサーバ６と時刻同期を取り、ＬＡＮ３を介してＮＴＰプロトコルを使用するＴＳＳ４からの時刻問い合わせへの応答も行う。
【００２３】
この問い合わせにおいてＴＳＳ４はＬＡＮ３を介してＮＴＰプロトコルを使用してＮＴＰサーバ２にアクセスし、時刻問い合わせを行うことにより時刻情報を定期的に取得して、ＮＴＰサーバ２と時刻同期を取る。
【００２４】
そしてＴＳＳ４は、ＩＰ網５を介してＳＩＰプロトコルを使用する１台または複数台のユーザ端末７から時報ガイダンスの提供要求があれば、ユーザ端末７との接続を制御し、ＮＴＰサーバ２から取得して所有する時刻ガイダンスの被要求時の時刻と時報ガイダンスの提供に必要な音声断片とを組み合わせて時報ガイダンスを作成する。
【００２５】
作成された時報ガイダンスは、ＬＡＮ３およびＩＰ網５を介し、ＳＩＰプロトコルを使用してユーザ端末７に接続して、ＲＴＰパケットにより同一の内容で同時に提供が実行される。
【００２６】
なお、図１の構成では、ＮＴＰサーバ２は公的最上位ＮＴＰサーバ６から時刻情報を取得する以外に、ＧＰＳ８や、あるいは既存の加入電話網９を介したテレホンＪＪＹ（登録商標）１０から時刻情報を取得してもよい。
【００２７】
また、図１で実線は公的最上位サーバ６またはＧＰＳ８とＮＴＰサーバ２の間およびＮＴＰサーバ２とＴＳＳ４の間の時刻情報の取得のための接続を示し、点線はユーザ端末７とＴＳＳ４の間の時報ガイダンスサービス提供のための接続を示している。
【００２８】
次に、図２には図１に示した時報ガイダンス提供システムの構成において実行される処理の流れを説明するためのシーケンスチャートを示す。
【００２９】
この図２には、ユーザ端末７と、ＴＳＳ４と、ＮＴＰサーバ２と、ＮＴＰサーバ２に接続するＧＰＳ８と、テレホンＪＪＹ（登録商標）１０が示されている。
【００３０】
まず、ＮＴＰサーバ２が図１に示したＩＰ網５を介しＮＴＰプロトコルを使用して公的最上位ＮＴＰサーバ６と接続して時刻情報を取得する。この時刻情報の取得により公的最上位ＮＴＰサーバ６との時刻同期を取る（Ｓ１）。なお、時刻同期を取る相手先としては、他にテレホンＪＪＹ（登録商標）１０やＧＰＳ８などを標準時刻提供手段として用いてもよい。
【００３１】
次に、ＴＳＳ４がＬＡＮ３を介してＮＴＰサーバ２にアクセスし、時刻問い合わせを行うことにより時刻情報を取得して時刻同期を取る（Ｓ２）。この時、ＮＴＰプロトコルがＴＳＳ４とＮＴＰサーバ２との間で用いられる。
【００３２】
次に、１台または複数台のユーザ端末７がＩＰ網５を介してＳＩＰプロトコルを使用して時報ガイダンスをＴＳＳ４に要求する。この要求はユーザ端末７からＴＳＳ４へINVITEが発せられ、これに呼応してＴＳＳ４は２００ＯＫを発し、ユーザ端末７からはＡＣＫが返信されることにより実行される（Ｓ３）。
【００３３】
次に、ＴＳＳ４において時刻同期を取った時刻情報に基づいて時報ガイダンスの生成を行う（Ｓ４）。時報ガイダンスの生成については後述する。
【００３４】
次に、ＴＳＳ４がＬＡＮ３およびＩＰ網５を介し、１台あるいは複数台のユーザ端末７に対して、ＲＴＰパケットにより同一の時報ガイダンスを提供する（Ｓ５）。なお、時報ガイダンス聴取終了後はユーザ端末７からはＢＹＥが送信され、これを受けてＴＳＳ４は２００ＯＫを返すことが発側切断時に実行される。同様に、ＴＳＳ４からＢＹＥが発せられるとユーザ端末７からは２００ＯＫが発せられる処理が着側切断時に実行される（Ｓ６）。
【００３５】
なお、上記実施の形態では標準時刻提供手段と時刻同期手段をＮＴＰプロトコルを使用して接続する構成で説明しているが、これに代えてＳＮＴＰプロトコルを用いても良い。さらに本実施の形態のＩＰ網における時報ガイダンス提供システムをＩＰ網５における時報ガイダンスサービスの実用に供することもできる。
【００３６】
次の図３には、ＴＳＳ４とＮＴＰサーバ２が複数台で構成された一例を示している。
【００３７】
この図３の構成では、ユーザ端末７はＩＰ網５に接続しており、ＳＩＰ（Session Initiation Protocol）サーバ１２も接続されている。そして、ＬＡＮ１１にて相互に接続されたＴＳＳ４'、４''と、ＮＴＰサーバ２'、２''が配置されている。ＮＴＰサーバ２'、２''には加入電話網９を介してテレホンＪＪＹ（登録商標）１０などの標準時刻提供手段が接続されている。ＴＳＳ４'、４''はＮ台の構成の組合せでも可能であり、時報音源供給サーバとしてはＮＴＰサーバがＮ台の構成でも対応可能である。
【００３８】
こうした構成において、ＮＴＰプロトコルによって接続される標準時刻提供手段またはそれ以外の上位時刻同期手段が複数ある場合には、既存のRFC 1305 Network Time Protocol（Version 3 ）Specification, Implementation and Analysisの方法に基づいて制御を行ってもよい。
【００３９】
あるいは、ＳＮＴＰプロトコルによって接続される標準時刻提供手段またはそれ以外の上位時刻同期手段が複数ある場合には、既存のRFC 2030 Simple Network Time Protocol（SNTP）Version 4 for IPv4, IPv6 and OSIの方法に基づいて制御を行ってもよい。
【００４０】
次に、図４〜図６に示すのはＴＳＳ４にて生成される時報ガイダンスの音声を生成するための処理を説明する説明図である。
【００４１】
ＴＳＳ４は図示しない時報ガイダンス作成手段と時報ガイダンス提供手段を共に備えて構成されており、時報ガイダンスは音声データとして音声合成により生成されている。音声合成に用いられる音声ファイルは、所定のディレクトリに保存する方式などを適用でき、たとえば図４や図５に示す音声ファイルや音源がそれぞれ保存されている。
【００４２】
図４において、たとえば「午前／午後」を表す音声ファイルとして「ごぜん」「ごご」「しょうご」といった音声ファイルが保存されている。同様に「時間」「数字」「分」「秒」「末語」についてそれぞれの音声ファイルが保存されている。
【００４３】
なお、時報ガイダンスの提供においてサマータイムにも対応する場合は、サマータイム対応用音片として「さまーたいむじかん」「ひょうじゅんじかん」といった特化した音声ファイルも保存されている。
【００４４】
図５は音声ファイル以外の時報の発信音などを説明するための説明図を示している。時報に用いる音源として、「秒音」「予報音」「時報音」が保存されている。たとえば「秒音」では１秒毎の音であり、「ピッピッ・・・」という音であり、周波数は２０００（２Ｋ）Ｈｚで継続時間は２５ｍｓといったようにあらかじめ設定されている。
【００４５】
なお、図５中の「図中の表現」として「斜線」と「白抜き」と「点塗りつぶし」の３種類が示されているが、これは後述の図６中に示す同様の「斜線」と「白抜き」と「点塗りつぶし」のそれぞれの表現に対応している。
【００４６】
次に、図６には図４に示した音声ファイルと図５に示した時報とを合成する一例を説明するための説明図を示している。
【００４７】
この図６において、図に対して左から右へ示された数字０〜９は「秒」を示している。０秒から時報音「プーン」が開始し、１８００ｍｓの間継続する（図６中の「点塗りつぶし」部分）。その時報音に重ねて秒音が各秒ごとに「ピッピッ」と重なる（図６中の「斜線」部分）。秒音の継続時間は２５ｍｓにされている。予報音は例えば基準秒（この図６では１０秒）より３秒前から発音開始する（図６中の「白抜き」部分）。７秒目から「プップッ」というように秒音に重なり、それぞれ２００ｍｓ継続する。
【００４８】
一方、音声ファイルは各音片を組合わせて「ごぜん  いちじ  にじゅう  さんぷん  よんじゅうびょうを  おしらせいたします」といった時報ガイダンスの音声へ構成され、音源と重ねられ、時報ガイダンスとして生成してユーザ端末７へ提供する。
【００４９】
なお、図７に示すようにサマータイムに対応した時報ガイダンスを生成することもできる。ガイダンスの種別としては「サマータイム開始ガイダンス」と「サマータイム終了ガイダンス」があり、それぞれのガイダンス内容は「サマータイム時間」と「標準時間」である。これらの音声ファイルを時報ガイダンスの直前に挿入する。例として「サマータイム時間、午前９時丁度をお知らせ致します（さまーたいむじかん、ごぜんくじちょうどをおしらせいたします）」といった音声合成を行う。
【００５０】
図８には、閏秒の調整における時報ガイダンスの音声合成の一例を説明するための説明図を示している。なお、閏秒（うるうびょう）とは、協定世界時(UTC)において、国際原子時と世界時とのずれが0.9秒以上になった時に挿入または削除される1秒を指している。この閏秒の補正方法として、「＋」に補正時には「プーン」（００秒）の音を２回ガイダンスする。同様に「−」補正時には「プッ」（５９秒）を割愛して補正する。
【００５１】
このように本実施の形態においては、ＧＷ装置などの他の方式の通信網と接続するための構成を用いずに、ＩＰ網内のみにおいてユーザ端末７へ時報ガイダンスを提供することができる。
【００５２】
また、既存のＬＡＮ３などのネットワーク環境に対する時報ガイダンス提供システムの親和性を高めることができる。
【００５３】
また、ＧＷ装置などを用いる必要がないので、時報ガイダンスの提供にかかる設備コストを低減することができる。
【００５４】
また、ＩＰ網５のユーザ端末７への時報ガイダンスサービスの提供拡大に伴い、その対価として収益を増やすことが期待できる。
【図面の簡単な説明】
【００５５】
【図１】時報ガイダンス提供システムの実施の形態の全体構成図を示す。
【図２】時報ガイダンス提供システムの実施の形態の時報ガイダンス提供の情報処理を説明するためのシーケンス図を示す。
【図３】実施の形態のＮＴＰサーバとＴＳＳの構成の一例を示す。
【図４】音声断片記憶手段の音声断片情報テーブルの一例を示す。
【図５】音声ファイル以外の時報の発信音などを説明するための説明図を示す。
【図６】図４に示した音声ファイルと図５に示した時報とを合成する一例を説明するための説明図を示す。
【図７】サマータイムに対応した時報ガイダンスの音声ファイルの一例を示す。
【図８】閏秒の調整における時報ガイダンスの音声合成の一例を説明するための説明図を示す。
【符号の説明】
【００５６】
１  時報ガイダンス生成システム
２  ＮＴＰサーバ（時刻同期手段）
３  ＬＡＮ
４  ＴＳＳ（時報ガイダンス作成手段、時報ガイダンス提供手段）
５  ＩＰ網
６  公的最上位ＮＴＰサーバ（標準時刻提供手段）
７  ユーザ端末
８  ＧＰＳ（時刻同期手段）
９  電話網（加入電話回線網）
１０  テレホンＪＪＹ（登録商標）（時刻同期手段）
【図１】
0004553850.tif 000002
【図２】
0004553850.tif 000003
【図３】
0004553850.tif 000004
【図４】
0004553850.tif 000005
【図５】
0004553850.tif 000006
【図６】
0004553850.tif 000007
【図７】
0004553850.tif 000008
【図８】
0004553850.tif 000009